(57)【要約】      （修正有）【課題】部品点数が少なく、かつ、容易に設置作業を行うことができる太陽光パネル用架台を提供する。【解決手段】太陽光パネル用架台は、太陽光パネルを支持する第一フレーム部材１０と、第一フレーム部材１０を支持し、かつ直交方向に延在する第二フレーム部材１１と、設置面に配設された基礎１２に固定される固定部材１３と、を備え、固定部材１３は、第二フレーム部材１１を両側から挟むように一対に配置され、各固定部材１３は、基礎１２に固定される第一固定部と、第二フレーム部材１１に固定される第二固定部と、を有する。【選択図】図１
2017017833.tif 000002
【特許請求の範囲】
【請求項１】
太陽光パネルを支持する第一フレーム部材と、
前記第一フレーム部材を支持し、かつ直交方向に延在する第二フレーム部材と、
設置面に配設された基礎に固定される固定部材と、を備え、
前記第一フレーム部材、前記第二フレーム部材および前記固定部材を、締結部材で固定した太陽光パネル用架台において、
前記固定部材は、前記第二フレーム部材を両側から挟むように一対に配置され、
各固定部材は、前記基礎に固定される第一固定部と、前記第二フレーム部材に固定される第二固定部と、を有する
ことを特徴とする太陽光パネル用架台。
【請求項２】
前記基礎は、太陽光パネル用架台の奥行き方向の一方側と他方側とで高さが異なることを特徴とする請求項１に記載の太陽光パネル用架台。
【請求項３】
前記第二フレーム部材の上部に固定されるブラケット部材と、前記ブラケット部材の上方に配置される挟持部材と、を備え、
前記ブラケット部材は、前記第一フレーム部材の下面に当接する載置面を有し、
前記第一フレーム部材は、前記ブラケット部材と前記挟持部材とで挟持されることにより、前記第二フレーム部材に固定される
ことを特徴とする請求項１または２に記載の太陽光パネル用架台。
【請求項４】
前記ブラケット部材の載置面は、水平面に対して傾斜しており、前記載置面の傾斜角度は、前記第一フレーム部材の傾斜角度と同等の角度であることを特徴とする請求項３に記載の太陽光パネル用架台。
【請求項５】
前記第二フレーム部材の両側面の上部には、外側に延出する係止片が設けられ、
前記ブラケット部材の両側部には、前記係止片に係合する係合部が設けられ、
前記係合部の下部には、下方へ垂下する固定部が設けられ、
前記固定部が第二フレーム部材の側面にビスにより固定される
ことを特徴とする請求項３または４に記載の太陽光パネル用架台。
【請求項６】
前記ブラケット部材および前記挟持部材には、ボルトを挿通するボルト挿通孔がそれぞれ形成されており、
各ボルト挿通孔に挿通されたボルトにナットを螺合することにより、前記第一フレーム部材が前記ブラケット部材と前記挟持部材とで挟持される
ことを特徴とする請求項３から５のいずれか一項に記載の太陽光パネル用架台。
【請求項７】
前記ブラケット部材には、下方に向かって突出し、かつ、前記ボルトの頭部または前記ナットを挟んで対向する一対の回転防止用突条が形成されていることを特徴とする請求項６に記載の太陽光パネル用架台。
【請求項８】
前記第一フレーム部材、前記第二フレーム部材および前記固定部材は、アルミニウム合金製の押出形材からなることを特徴とする請求項１から７のいずれか一項に記載の太陽光パネル用架台。
【発明の詳細な説明】
【技術分野】
【０００１】
本発明は、太陽光パネル用架台に関する。
【背景技術】
【０００２】
従来から、太陽光パネルを設置するための太陽光パネル用の架台が公知である（例えば、特許文献１参照）。この太陽光パネル用架台においては、太陽光パネルを支持するフレーム部材を支柱により下方から支える構造とするのが一般的である。
【先行技術文献】
【特許文献】
【０００３】
【特許文献１】特開２０１５−３１０７８号公報
【発明の概要】
【発明が解決しようとする課題】
【０００４】
前記特許文献１に記載の太陽光パネル用架台では、基礎の上に固定される支柱によりフレーム部材が支えられ、かつ、隣り合う支柱間に補強のための斜材が架け渡されている。このため、部品点数が多くなり、太陽光パネル用架台の設置作業に手間と時間を要するという問題があった。
【０００５】
そこで、本発明は、部品点数が少なく、かつ、容易に設置作業を行うことができる太陽光パネル用架台を提供することを目的とする。
【課題を解決するための手段】
【０００６】
本発明に係る太陽光パネル用架台は、太陽光パネルを支持する第一フレーム部材と、前記第一フレーム部材を支持し、かつ直交方向に延在する第二フレーム部材と、設置面に配設された基礎に固定される固定部材と、を備える。前記固定部材は、前記第二フレーム部材を両側から挟むように一対に配置され、各固定部材は、前記基礎に固定される第一固定部と、前記第二フレーム部材に固定される第二固定部と、を有する。
【発明の効果】
【０００７】
本発明に係る太陽光パネル用架台においては、第二フレーム部材と基礎との間に支柱を介在させず、第二フレーム部材を固定部材で基礎に直接固定するようにしている。また、固定部材が第二フレーム部材を両側から挟むように一対に配置されることにより、基礎と第二フレーム部材との固定強度は十分に確保される。したがって、本発明に係る太陽光パネル用架台によれば、部品点数を減らして簡略化して、容易に設置作業を行うことができる。
【図面の簡単な説明】
【０００８】
【図１】本発明の第一実施形態に係る太陽光パネル用架台を示す側断面図である。
【図２】第一フレーム部材と第二フレーム部材との固定状態を示す分解斜視図である。
【図３】本発明の第二実施形態に係る太陽光パネル用架台を示す側断面図である。
【図４】第一フレーム部材と第二フレーム部材との固定状態を示す分解斜視図である。
【発明を実施するための形態】
【０００９】
以下、本発明の実施形態を図面とともに詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１０】
［第一実施形態］
図１および図２に示すように、本発明の第一実施形態に係る太陽光パネル用架台は、太陽光パネル（図示せず）を支持する第一フレーム部材（垂木）１０と、第一フレーム部材１０を支持し、かつ、第一フレーム部材１０と交差する方向に延在する第二フレーム部材（垂木受け）１１と、設置面に配設された基礎１２に固定される固定部材１３と、を備える。第一フレーム部材１０、第二フレーム部材１１および固定部材１３は、締結部材１４，１５で固定している。本実施形態では、第一フレーム部材１０と第二フレーム部材１１とは、直交して配置されている。また、基礎１２は、太陽光パネル用架台の奥行き方向Ｄの一方側（前面側）と他方側（後面側）とで高さが異なっている。具体的には、基礎１２は、太陽光パネル用架台の後面側が前面側よりも高くなるように設置されている。
【００１１】
第一フレーム部材１０は、アルミニウム合金製の押出形材からなる。また、第一フレーム部材１０は、断面略台形の筒状の中空材から構成されており、上面、下面および両側面を有する。
【００１２】
第一フレーム部材１０の上面には、ボルトの収容部１６が第一フレーム部材１０の長手方向に沿って形成されており、収容部１６に、太陽光パネルを第一フレーム部材１０に固定するために用いられるボルト（図示せず）の頭部が収容される。この収容部１６は、第一フレーム部材１０の上面に全長に亘って形成されている。前記ボルトは六角ボルトであり、収容部１６の幅は、このボルトの二面幅よりも広く、このボルトの対角距離よりも狭くなっている。このように構成することにより、収容部１６は、前記ボルトの回転を規制する回転止めとして機能する。さらに、収容部１６の開口端には、収容部１６の両側部から第一フレーム部材１０の幅方向内側にそれぞれ突出する突出部１７が一対に形成されている。これらの一対の突出部１７，１７同士の間隔は、前記ボルトの軸部の外径よりも広く、前記ボルトの頭部の外径よりも狭くなっている。このように構成することにより、一対の突出部１７，１７は、収容部１６からの前記ボルトの脱落を防止する脱落止めとして機能する。
【００１３】
第一フレーム部材１０の両側面の下端には、幅方向外側へ延出する係止プレート片１８がそれぞれ第一フレーム部材１０の長手方向に沿って形成されている。各係止プレート片１８は、第一フレーム部材１０の側面の下端に全長に亘って形成されている。そして、係止プレート片１８の先端部に、上方に突出する凸部（立上部）１９が第一フレーム部材１０の長手方向に沿って形成されている。この凸部１９は、係止プレート片１８の先端部に第一フレーム部材１０の全長に亘って形成されている。
【００１４】
第二フレーム部材１１は、アルミニウム合金製の押出形材からなる。また、第二フレーム部材１１は、断面略矩形の筒状の中空材から構成されており、上面、下面および両側面を有する。
【００１５】
第二フレーム部材１１の両側面のうち、一方の側面の上部には、第二フレーム部材１１にブラケット部材２０を固定するためにビス２１が螺合されている。一方、第二フレーム部材１１の両側面の下部には、第二フレーム部材１１と固定部材１３とを固定するために用いられるボルト２２の頭部を収容する収容部２４が第二フレーム部材１１の長手方向に沿ってそれぞれ形成されている。この収容部２４は、第二フレーム部材１１の側面の下部に全長に亘って形成されている。ボルト２２は六角ボルトであり、収容部２４の幅は、このボルト２２の二面幅よりも広く、このボルト２２の対角距離よりも狭くなっている。このように構成することにより、収容部２４は、ボルト２２の回転を規制する回転止めとして機能する。さらに、収容部２４の開口端には、収容部２４の両側部から互いに対向するようにそれぞれ突出する突出部２５が一対に形成されている。これらの一対の突出部２５，２５同士の間隔は、ボルト２２の軸部の外径よりも広く、ボルト２２の頭部の外径よりも狭くなっている。このように構成することにより、一対の突出部２５，２５は、収容部２４からのボルト２２の脱落を防止する脱落止めとして機能する。
【００１６】
固定部材１３は、アルミニウム合金製の押出形材からなる。また、固定部材１３は、側面視でＬ字状に形成されており、第二フレーム部材１１を両側から挟むように一対に配置されている。
【００１７】
各固定部材１３は、ボルト２６およびナット２７を介して基礎１２に固定される平板状の第一固定部２８と、この第一固定部２８から上方に延在し、ボルト２２およびナット２３（締結部材１４）を介して第二フレーム部材１１に固定される第二固定部２９とから、Ｌ字状に形成されている。固定部材１３の第一固定部２８は、ボルト２６を挿通するボルト挿通孔３０を有している。また、固定部材１３の第二固定部２９は、ボルト２２を挿通するボルト挿通孔３１を有しており、このボルト挿通孔３１は、第二固定部２９に太陽光パネル用架台の幅方向Ｗに間隔を隔てて一対に設けられている。
【００１８】
固定部材１３の第二固定部２９におけるナット２３に当接する面には、凹凸構造３２が形成されており、この凹凸構造３２は、固定部材１３の高さ方向に間隔を隔てて凹部および凸部を複数形成してなる。なお、凹凸構造３２は、固定部材１３の第二固定部２９とナット２３との間に座金を配設した場合に、座金の位置ずれを抑制するために用いられるものである。
【００１９】
第二フレーム部材１１と固定部材１３との固定は、ボルト２２およびナット２３（締結部材１４）を介して行う。具体的には、まず、第二フレーム部材１１の側面の下部に形成された収容部２４にボルト２２の頭部を収容し、このボルト２２の軸部を収容部２４から突出させる。さらに、ボルト２２の軸部を、固定部材１３の第二固定部２９のボルト挿通孔３１に挿通して、このボルト２２の軸部の先端をボルト挿通孔３１から突出させる。そして、ボルト挿通孔３１から突出したボルト２２の軸部にナット２３を締め付けると、第二フレーム部材１１と固定部材１３とがボルト２２およびナット２３によって挟持される。これにより、第二フレーム部材１１と固定部材１３とが固定される。
【００２０】
本実施形態に係る太陽光パネル用架台は、第二フレーム部材１１の上部に固定されるブラケット部材２０と、ブラケット部材２０の上方に配置される挟持部材３３と、をさらに備えている。
【００２１】
ブラケット部材２０は、アルミニウム合金製の押出形材からなる。このブラケット部材２０は、ブラケット部材２０の最上部を構成する基板部３４と、基板部３４の両側部から下方に延在する係合部３５と、係合部３５の下部に設けられる固定部３６と、を有しており、下方が開口した略逆Ｕ字形状に形成されている。
【００２２】
ブラケット部材２０の基板部３４は、平面視で矩形状に形成されている。基板部３４の上面に、第一フレーム部材１０の下面に当接する載置面３７が形成されており、この載置面３７は、水平面に対して傾斜している。この載置面３７の傾斜角度は、第一フレーム部材１０の傾斜角度と同等の角度である。
【００２３】
基板部３４には、ブラケット部材２０の長手方向に間隔を隔てて二つのボルト挿通孔３８が形成されている。ボルト挿通孔３８には、ブラケット部材２０と第一フレーム部材１０とを固定するためのボルト３９の軸部が挿通される。また、基板部３４には、下方に向かって突出し、かつ、ボルト３９の頭部を挟んで対向する一対の回転防止用突条４０，４０が形成されている。
【００２４】
ブラケット部材２０の係合部３５は、基板部３４の幅方向両側部にそれぞれ設けられている。係合部３５は、第二フレーム部材１１の両側面の上端部に設けられた係止片４１を囲うことができる形状に形成されている。具体的には、係合部３５は、基板部３４の下端部から幅方向外側に延出した水平部と、この水平部の先端部から下方へ垂下する垂下部と、この垂下部の下端部から幅方向内側に折り返す折返部と、この折返部の先端部から上方に立ち上がる立上部とを有している。このような係合部３５を第二フレーム部材１１の係止片４１に係合させることにより、ブラケット部材２０は、第二フレーム部材１１に対して、第二フレーム部材１１の長手方向を除く上下左右方向への移動が規制される。
【００２５】
ブラケット部材２０の固定部３６は、係合部３５の折返部の先端部から下方に延在している。固定部３６の内側面が第二フレーム部材１１の側面に当接する。固定部３６には、ビス用孔が形成されており、このビス用孔から第二フレーム部材１１の側面にビス２１を螺合させることにより、第二フレーム部材１１の上部にブラケット部材２０が固定される。
【００２６】
挟持部材３３は、アルミニウム合金製の押出形材からなる。挟持部材３３は、第一フレーム部材１０の幅方向両側のそれぞれに配置され、各挟持部材３３の側縁部が、各係止プレート片１８の先端部を押さえている。
【００２７】
挟持部材３３の下面には、係止プレート片１８の先端部に設けられた凸部１９が入り込む凹溝４２が形成されている。また、挟持部材３３には、ボルト挿通孔４３が形成されている。ボルト挿通孔４３には、ブラケット部材２０と第一フレーム部材１０とを固定するためのボルト３９の軸部が挿通される。
【００２８】
第一フレーム部材１０と第二フレーム部材１１との固定は、ブラケット部材２０と、挟持部材３３と、ボルト３９およびナット４０（締結部材１５）とを介して行う。具体的には、まず、ブラケット部材２０のボルト挿通孔３８にボルト３９の軸部を下方から挿入し、このボルト３９の軸部をブラケット部材２０の上面から突出させる。さらに、ボルト３９の軸部を挟持部材３３のボルト挿通孔４３に挿通して、このボルト３９の先端を挟持部材３３の上面から突出させるとともに、ブラケット部材２０の載置面３７に載置された第一フレーム部材１０の係止プレート片１８の先端部に位置する凸部１９が、挟持部材３３の凹溝４２と係合するように第一フレーム部材１０を配置する。そして、挟持部材３３の上面から突出したボルト３９の軸部にナット４０を締め付けると、第一フレーム部材１０と第二フレーム部材１１とが固定される。
【００２９】
以下に、本実施形態による作用効果を説明する。
【００３０】
（１）本実施形態に係る太陽光パネル用架台は、太陽光パネルを支持する第一フレーム部材１０と、第一フレーム部材１０を支持し、かつ直交方向に延在する第二フレーム部材１１と、設置面に配設された基礎１２に固定される固定部材１３と、を備える。固定部材１３は、第二フレーム部材１１を両側から挟むように一対に配置され、各固定部材１３は、基礎１２に固定される第一固定部２８と、第二フレーム部材１１に固定される第二固定部２９と、を有する。
【００３１】
本実施形態に係る太陽光パネル用架台においては、第二フレーム部材１１と基礎１２との間に支柱を介在させず、第二フレーム部材１１を固定部材１３で基礎１２に直接固定するようにしている。また、固定部材１３が第二フレーム部材１１を両側から挟むように一対に配置されることにより、基礎１２と第二フレーム部材１１との固定強度は十分に確保される。したがって、本実施形態に係る太陽光パネル用架台によれば、部品点数を減らして簡略化して、容易に設置作業を行うことができる。
【００３２】
（２）基礎１２は、太陽光パネル用架台の奥行き方向の一方側と他方側とで高さが異なる。
【００３３】
太陽光パネルを水平面に対して傾斜させて設置することにより、太陽光パネルの発電効率を高めることができ、発電量を増やすことが可能になる。
【００３４】
（３）本実施形態に係る太陽光パネル用架台は、第二フレーム部材１１の上部に固定されるブラケット部材２０と、ブラケット部材２０の上方に配置される挟持部材３３と、を備える。ブラケット部材２０は、第一フレーム部材１０の下面に当接する載置面３７を有し、第一フレーム部材１０は、ブラケット部材２０と挟持部材３３とで挟持されることにより、第二フレーム部材１１に固定される。
【００３５】
第一フレーム部材１０を、ブラケット部材２０と挟持部材３３とで挟持しているので、第一フレーム部材１０と第二フレーム部材１１との固定強度を高めることができる。
【００３６】
（４）ブラケット部材２０の載置面３７は、水平面に対して傾斜しており、載置面３７の傾斜角度は、第一フレーム部材１０の傾斜角度と同等の角度である。
【００３７】
このようにすることにより、使用するブラケット部材２０によって、水平面に対する第一フレーム部材１０の傾斜角度が決まる。すなわち、第一フレーム部材１０は、ブラケット部材２０の載置面３７に載置するだけで所定の傾斜角度に傾斜するので、第一フレーム部材１０の傾斜角度の調整が容易になる。
【００３８】
（５）第二フレーム部材１１の両側面の上部には、外側に延出する係止片４１が設けられ、ブラケット部材２０の両側部には、係止片４１に係合する係合部３５が設けられ、係合部３５の下部には、下方へ垂下する固定部３６が設けられ、固定部３６が第二フレーム部材１１の側面にビス２１により固定される。
【００３９】
ブラケット部材２０と第二フレーム部材１１との位置決めを容易かつ正確に行うことができることにより、作業性が向上する。
【００４０】
（６）ブラケット部材２０および挟持部材３３には、ボルト３９を挿通するボルト挿通孔３８，４３がそれぞれ形成されており、各ボルト挿通孔３８，４３に挿通されたボルト３９にナット４０を螺合することにより、第一フレーム部材１０がブラケット部材２０と挟持部材３３とで挟持される。
【００４１】
ブラケット部材２０と第一フレーム部材１０との位置決めを容易かつ正確に行うことができることにより、作業性が向上する。
【００４２】
（７）ブラケット部材２０には、下方に向かって突出し、かつ、ボルト３９の頭部またはナット４０を挟んで対向する一対の回転防止用突条４０，４０が形成されている。
【００４３】
ボルト３９の回転を防止することにより、ブラケット部材２０に対して挟持部材３３を強固に固定することができる。
【００４４】
（８）第一フレーム部材１０、第二フレーム部材１１および固定部材１３は、アルミニウム合金製の押出形材からなる。
【００４５】
これにより、これらの各部材を鋼材からなるものとした場合と比較すると、太陽光パネル用架台全体を軽量化することが可能になる。また、これらの各部材の寸法精度を高めることができ、太陽光パネル用架台の設置を容易かつ正確に行うことができるとともに、優れた耐食性および外観を得ることができる。さらに、長尺の部材を比較的低コストで製造することができるため、製造コストを低減することができるとともに、アルミニウム合金はリサイクル性に比較的優れているため、太陽光パネル用架台の撤去後に材料を再利用することができる。
【００４６】
［第二実施形態］
本発明の第二実施形態に係る太陽光パネル用架台を図３および図４に示す。なお、前述の第一実施形態と実質的に同一の部分は同一符号を付することによってその説明を省略する。
【００４７】
第二実施形態に係る太陽光パネル用架台は、第一実施形態に対して、第二フレーム部材１１およびブラケット部材２０の幅が大きい。また、ブラケット部材２０の幅の大型化に伴い、基板部３４などの形状を第一実施形態とは若干異ならせている。
【００４８】
第一実施形態による作用効果は第一実施形態と同様であるので、説明を省略する。
【００４９】
ところで、本発明の太陽光パネル用架台は前述の実施形態に例をとって説明したが、この実施形態に限ることなく本発明の要旨を逸脱しない範囲で他の実施形態を各種採用することができる。
【符号の説明】
【００５０】
１０  第一フレーム部材
１１  第二フレーム部材
１２  基礎
１３  固定部材
１４  締結部材
１５  締結部材
２０  ブラケット部材
２１  ビス
２２  ボルト
２３  ナット
２８  第一固定部
２９  第二固定部
３３  挟持部材
３５  係合部
３６  固定部
３７  載置面
３８  ボルト挿通孔
４１  係止片
４３  ボルト挿通孔
【図１】
2017017833.tif 000003
【図３】
2017017833.tif 000004
【図２】
2017017833.tif 000005
【図４】
2017017833.tif 000006